(57)【特許請求の範囲】
【請求項１】
第１の非導電シートと、
第２の非導電シートと、
前記第１のシートと前記第２のシート間の密閉通路手段と、
前記第２のシートは前記通路手段に開いた少なくとも２つの貯蔵手段を有し、
前記第１のシートは電極手段を有し、
前記第２のシートは前記少なくとも２つの貯蔵手段と関係した電極手段を有し、
第１の色の液体手段と、
第２の色の液体手段と、
第１の色の前記液体手段と第２の色の前記液体手段は両方とも導電性であり、
前記少なくとも２つの貯蔵手段の１つは第１の色の前記液体手段を保持し、前記少なくとも２つの貯蔵手段の他方のものは第２の色の前記液体手段を保持し、
第１の色の前記液体手段に電気接続を提供する第１の導電手段と、
前記第１の導電手段を活性化する手段と、
第２の色の前記液体手段に電気接続を提供する第２の導電手段と、
前記第２の導電手段を活性化する手段と、
前記第１のシート電極手段と前記第２のシート電極手段を活性化する手段とからなり、
前記第１のシートの前記電極手段と、前記第２のシートの前記電極手段と、前記第１の導電手段と、前記第２の導電手段とは、前記第１のシートの前記電極手段と、前記第２のシートの前記電極手段と、前記第１の導電手段とを活性化したときに、第１の色の前記液体手段が前記密閉した通路手段に流入し、前記第１のシートの前記電極手段と、前記第２のシートの前記電極手段と、前記第２の導電手段とを活性化したときに、第２の色の前記液体手段が前記密閉した通路手段に流入し、前記第１のシートの前記電極手段と、前記第２のシートの前記電極手段と、前記第１の導電手段と、前記第２の導電手段とを活性化したときに、第１の色の前記液体手段と第２の色の前記液体手段の両方が前記密閉した通路手段に流入するように、互いに及び前記貯蔵手段に関して構築され、配置されているカラー表示装置。
【発明の詳細な説明】
【０００１】
【発明の属する技術分野】
本発明は電気毛管（electrocapillary）カラーディスプレイシートに関し、特にそれぞれのリザーバ（reservoir）の組のそれぞれのリザーバが異なるカラー有極液を保持する、複数のリザーバの組を利用した電気毛管カラーディスプレイシートに関する。個々の電気接続はそれぞれのリザーバのそれぞれの液体と接触している。それぞれの組のリザーバの液体を選択的に活性化（activate）することで、リザーバの組の液体の少なくとも１つがその組のリザーバの液体で共有する間隙に流入してカラー画素を形成する。
【０００２】
【従来の技術】
一般にシート形式の表示装置は、紙の文書の属性を多く持つ薄いシートからなる。即ちそれは紙のようであり、紙のような周囲光バルブ挙動性を持ち（すなわち周囲光が明るければ明るいほどより容易に見える）、紙のように柔軟性があり、紙のように持ち運びができ、紙のように書き込むことができ、紙のようにコピーでき、ほとんど紙のような記録記憶性を有する。
【０００３】
ディスプレイパネルがそれぞれの半球上に異なる色を有する複数の球状粒子からなる「ねじりボール（twisting ball）パネルディスプレイ」の名称の米国特許４，１２６，８５４号のように、電界誘導ディスプレイシート（field induced display sheet）を形成する異なる方法がある。それぞれの球状粒子に加える電界の方向により、半球の１つが表示される。この方法では、黒白のディスプレイシートに対して、それぞれのボールは黒の半球と白の半球を有する。球状粒子の黒と白の半球を所望の像ないし文書を表示する形で選択することができる。
【０００４】
【発明が解決しようとする課題】
そこで本発明の目的は電界誘導ディスプレイシートを形成する異なる方法を提供することである。
【０００５】
【課題を解決するための手段】
互いに離間し互いに平行に配置した３枚の透明シートを利用した電気毛管カラーディスプレイシートを開示する。中間シートは少なくとも２つのリザーバの複数の組を有し、それぞれの組のそれぞれのリザーバは異なる色の染色ないし着色有極インクで満たす。リザーバのそれぞれ内のそれぞれの液体は個々に指定可能な電気接続を有している。それぞれの組のリザーバのそれぞれの液体を選択的に活性化することで、リザーバの対応する組の活性化液体はリザーバのその組の液体が共有する間隙に流出し、カラー画素を創出する。液体を不活性化することでそれぞれの液体はそのリザーバに戻り、それによりカラー画素は透明になる。
【０００６】
【実施例】
図１に本発明の電気毛管ディスプレイシート１０の断面図を示す。電気毛管ディスプレイシート１０はガラスやマイラーのような３枚の透明絶縁シート１２、１４、１６からなる。シート１２、１４、１６は実質的に互いに平行で、互いに離間している。シート１２、１４間の距離ｄ１とシート１４、１６間の距離ｄ２は両方とも０．０００１から０．０５インチの間の範囲にある。以下、簡潔にするため、「電気毛管ディスプレイシート」を「ディスプレイシート」とも称する。
【０００７】
図２にシート１２、１４、１６を共に接合する方法例を示す。シート１２、１４、１６は互いに適切に離間し、ディスプレイシート１０の周囲を走るフレーム１７に接合する。フレーム１７とシート１２、１４、１６がガラスの場合、接合は接合面に塗布し、その後、溶融温度に加熱するガラスフリットにより行うことができる。接合は更にエポキシその他の接合樹脂で行うこともできる。シート１２、１４、１６が全てテフロンやマイラーなどのプラスチック材料でできている場合は、接合は従来技術でよく知られた手段で加熱溶接により行うことができる。
【０００８】
フレーム１７はディスプレイシート１０の周囲を走り、それぞれシート１２と１４及び１４と１６の間にある間隙１３、１５を密封している。
【０００９】
再び図１で、複数の電極１８をシート１４に面するシート１２上に配置し、複数の電極２０をシート１２に面するシート１４上に配置する。電極１８、２０は一般にインジウム／酸化スズ（ＩＴＯ）ないし酸化スズなどの透明材料で作る必要がある。電極１８、２０は方形や円形などの異なる形状を持つように選択できる。しかし両電極１８、２０の形状は同一なものとして選択しなければならない。本発明の実施例では、両電極１８、２０は角を丸くした方形とする。シート１２の電極のそれぞれは、シート１４からの対応する電極２０と調心する。
【００１０】
図３にシート１２の電極１８の部分上面図を示す。シート１２の電極１８は、シート１２の表面の幅Ｗと長さＬの両方に沿って平行線を形成するように互いに隣り合って配設する。ｎ×ｎの寸法の電極１８は互いに距離ｄ3だけ離して配設する。それぞれの電極は画素のサイズとして同一サイズを持つので、寸法ｎは画素のサイズにより定義される。距離ｄ３は０．００１ｎと０．０５ｎの間の範囲にある。
【００１１】
シート１４の電極２０はシート１２の電極１８と同一形状、サイズ、配置を有する。
【００１２】
再び図１で、シート１４は複数のリザーバ（液を保持する貯蔵場所）２２を有する。リザーバ２２は好適にはそれぞれの電極２０の中心Ｃにシート１４の厚さＷ1を通して延長した穴を形成することにより作る。更にシート１４は、好適にはシート１４の４つの隣接する電極２０間の間隙に厚さＷ1を通して延長して形成した複数の穴２３を有する。しかし穴２３は１４の２つの隣接する電極２０間に配置することもできる。穴２３は密閉した間隙１３、１５間の通路を提供する。
【００１３】
シート１４に面するシート１２は、低表面エネルギー絶縁体の層２４を有する。シート１２の電極１８上に配置する低表面エネルギー絶縁層２４は、シートの全表面を覆っている。同様にシート１４の電極２０上に配置する低表面エネルギー絶縁層２６は、リザーバ２２と穴２３を開いたまま透明シート１４の全表面を覆っている。低表面エネルギー絶縁層２４、２６はテフロン（デュポン社）ないしシートとしてシート１２と１４に接着ないしスパッタリングないし気相反応法により蒸着した過フッ素化ポリマの層とすることができる。それらはまた、ドウ・コーニング社製のシルガード１８４などのシリコンエラストマでもよい。更にそれらは３Ｍ社製のフルオラッドＦＣ７２５などの過フッ素化ポリマを上塗りしたパリレン（ユニオン・カーバイド社の製品）などの２層以上の層構造とすることができる。
【００１４】
加えて、蒸着ないしスパッタリングした金、白金、インジウム／酸化スズないしニッケルなどの材料からできた複数の高表面エネルギープレート２８が、シート１２の低表面エネルギー絶縁層２４上でシート１４のリザーバ２２の上に来るように配列された領域だけに配置されている。本発明の実施例では、高表面エネルギープレート２８の形状は、円形であるリザーバの断面の形状と同じである。
【００１５】
なお、電極１８と２０並びに低表面エネルギー絶縁体２４と２６は全て透明である。高表面エネルギープレート２８も透明とすることができる。
【００１６】
リザーバ２２は水、アルコール、アセトン、ホルムアミド、エチレングリコール、それらの混合物およびその他の適切な液体などの染色有極性液ｌ１で満たされている。
【００１７】
シート１４と１６間の間隙（通路）１３、シート１２と１４間の間隙（通路）１５、及び穴２３はドウ・コーニング２００シリーズシリコンオイル、エキソン・イソパーあるいは３Ｍフルオリネートなどの低表面エネルギー液ｌ２で満たされている。２つの液体ｌ1、ｌ2は混和しない。液ｌ2は透明あるいは液ｌ1と対照的な色で染色ないし着色できる。間隙１３、１５及び穴２３は空気などの気体で満たすこともできる。
【００１８】
導電液は極性を持ち、一般に互いに混和する。しかし互いに混和しない非導電液体の種類がある。それらの例として、ほとんどの炭化水素と混和しない３Ｍフルオリネートなどの過ふっ化炭化水素があり、ドウ・コーニングＦＳ−１２６５オイルも炭化水素や３Ｍフルオリネートで溶解しない。
【００１９】
それぞれのリザーバの染色有極液ｌ1はリザーバの上の高表面エネルギープレート２８に付着する。高表面エネルギープレート２８は指定電極１８、２０に隣接する導電液の配置を維持する目的を果たすだけでなく、導電液ｌ1への電気接続を行う手段をも兼ねている。高表面エネルギープレート２８は液ｌ1への電気接続を提供するので、以下「高表面エネルギープレート」を「接続プレート」と称する。
【００２０】
本発明は「電気毛管」と呼ばれる概念に基づいている。電気毛管は、「表面化学」（リロイド・オシポー、１９６２年、レインホールド出版社、ニューヨーク）で述べられている印加する電界の関数としての表面張力の変化に関係している。図１に示す構造は、電気毛管の概念に関係した効果を用いて染色有極液ｌ1を１つの領域から他の領域に移動することを意図したものである。
【００２１】
本発明の開示実施例を理解するため、電気毛管の概念を検討する必要がある。図４に表面３２上に２つの異なる種類の液体の同一サイズの２つの液滴ａ、ｂを示す。図から分かるように、液滴ｂは広がっており、液滴ａは玉になっている。その結果、液滴ｂは液滴ａが占める表面面積Ｓ2よりも大きな表面面積Ｓ1を占めるようになる。２つの液体が異なる表面面積を占める理由は、それぞれの液体は表面と特定のエネルギー関係を持ち、所与の表面に対して特定の接触角を生じるようになるからである。液体と表面の間の相互作用エネルギーが低ければ低いほど、接触角は大きくなり、占有面積は少なくなる。
【００２２】
図５で、接触角αは表面の面３４と液滴３８の正接線３６の間の角度である。所与の表面に対するそれぞれの液体の接触角は、表面張力などのその液体の属性及び表面エネルギーなどの表面の属性に依存している。
【００２３】
図６に、接触角α1、α2を有する図４の２つの液滴ａ、ｂを示す。液滴ｂのような一部の液体は鋭い接触角α2を持ち、液滴は大きな面積Ｓ1を占めるようになる。しかし液滴ａのような一部の液体は鈍い接触角α1を持ち、それらの１つの同一サイズの液滴は、鋭い接触角を有する液体が占める表面面積Ｓ1よりもはるかにすくない表面面積Ｓ2を占めるようになる。
【００２４】
図７に、平行に配置し、段差を作るような形で互いに間隙をあけた２枚のプレート４０、４２を示す。広範な実験を通して、約９５度以下の接触角を有する液滴を段差によりできたコーナー４４に配置すると、液滴は２枚のプレート４０、４２間の間隙４６に拡大するということが確認された。しかし図８で、約９５度以上の接触角を有する液滴をコーナー４４に配置すると、液滴は拡大しない。
【００２５】
更に図９で、広範な実験を通して、薄い絶縁表面４８上にある液滴ｃと電極４９（表面４８の真下）間に電圧Ｖを印加すると、電界ができて接触角が変化し、液体に印加する電圧によって接触角を所望の角度に変更できることが確認された。
【００２６】
図９は、左から右に、電圧Ｖを印加する前、電圧Ｖの印加中、電圧Ｖの除去後の液滴ｃを示している。図から分かるように、電圧Ｖを印加する前は、液滴ｃは玉になっており、鈍角α3を有している。電圧Ｖの印加中、液滴ｃの接触角は鋭角α4に変化し、その結果、液滴は拡大する。電圧Ｖの除去後、液滴の接触角はその元の鈍角α3に変化し、その結果、液滴は再び玉になる。
【００２７】
なお、電圧をオフにすると、変化は液滴と電極にとどまり、その結果、液滴は広がったままになる。しかし液滴と電極を放電すると、液体は玉になる。本明細書で「電界を除去」するということは「液体、それの対応する電極、及び液体への電気接続手段を放電する」ことを意味するものとする。
【００２８】
接触角を鈍角α3から鋭角α4に変更することで、液滴ｃはその元の表面面積Ｓ4（電界を印加するまえに液滴が占める表面面積）より大きな表面面積Ｓ3を占めるようになる。電圧を除去すると、液滴ｃはその元の形と表面面積Ｓ4に再び縮小する。実験では、導体に上塗りしたシリコンエラストマなどの表面で水や水銀などの液体に電圧Ｖを印加すると、その表面面積は１０倍、増大し得ることが分かった。更に、テフロン被覆パリレンなどの表面を利用すると、水ないし水銀の表面面積を２０から３０倍の範囲で増大できる。
【００２９】
本発明では電圧をかけることで液体の表面面積を増大するという概念を利用して染色液の表面面積を拡大して所望の表面面積を満たすようにする。
【００３０】
本発明の実施例では、低表面エネルギー絶縁体に対する染色有極液l1の接触角は９０度以上に選択する。表面に対する第１の液体の接触角は、低い表面張力を持ち第１の液体と混和しない第２の液体が存在すれば、大きく拡大することがよく知られている。この現象を図１０、１１に示す。
【００３１】
図１０で、液滴ｄが表面５０上にある。空気５２に囲まれた液滴ｄは鋭い接触角α5を持っている。しかし図１１では、図１０の液滴ｄと同じ液滴ｄ’は異なる液体５４に囲まれ、図１０の表面５０と同じ表面５０’上にある。図１１から分かるように、液体５４により液滴ｄ’は鈍角α6を持つようになる。この効果を利用して有極液／低エネルギー表面の組み合わせの数を大きく増大することができ、本発明の実施で非常に有用なものとなる。
【００３２】
再び図１で、作動の際、電圧Ｖを生成する個々の電圧源をそれぞれの電極１８、２０の対と接続プレート２８を通して対応する液体ｌ1に印加する。なお簡潔にするため、電圧Ｖに対する電極１８と２０の１つの対とその対応する接続プレート２８の接続だけしか図示していない。しかし、個々に指定可能な電界が電極１８、２０のそれぞれの対とその対応する接続プレート２８に印加されることに留意する。個々の電圧Ｖを電極１８と２０及びその対応する接続プレート２８に印加すると、電極１８と２０（電極１８と２０は活性化される）及びその対応する接続プレート２８間で電界が生成される。
【００３３】
電圧ＶはＤＣでもＡＣでもよい。ＤＣ電圧Ｖの場合、電極１８と２０は電圧Ｖの同一極に接続し、接続プレート２８は電圧Ｖの反対極に接続する。従って接続プレート２８を通してその電気接続を得る液体ｌ1は電極１８と２０の極性と比べて反対の極性を有する。
【００３４】
作動の際、電圧Ｖを活性化すると、低表面エネルギー絶縁体２４、２６の表面に対する有極液ｌ1の接触角は減少する。なお低表面エネルギー絶縁体２４、２６はそれぞれ電極１８、２０上にある。従って低表面エネルギー絶縁体２４、２６の真下の電極１８、２０の極性に対する液体ｌ1の反対極性により有極液ｌ1の接触角は減少するようになる。接触角の減少により有極液ｌ1はシート１２、１４の間の間隙１３に押し込まれるようになる。
【００３５】
染色有極液ｌ1は電極１８、２０の周辺内だけの間隙１３を占める。拡大する液ｌ1が電極１８、２０の周辺に近づくと、この液ｌ1と電極１８、２０の間の電界の強さが落ち、低表面エネルギー絶縁体２４、２６の表面に対する液ｌ1の接触角は増大する。この接触角の増大により液体の更なる拡大は停止する。
【００３６】
液ｌ1が間隙１３に移動すると、間隙１３、穴２３、間隙１５内の液ｌ2は移動して間隙１５へのリザーバの開口部からリザーバ２２に流入して液ｌ1とｌ2を平衡化する。
【００３７】
電圧Ｖを活性化すると、染色有極液ｌ1は電極１８と２０の間の領域を占めるので、電極１８、２０の間の領域はカラー化した画素ないし部分画素に見える。電圧Ｖによりできた電界を除去することで、低表面エネルギー絶縁体２４、２６の表面に対する液ｌ1の接触角度は増大し、染色有極液ｌ1は、それが濡らす接続プレート２８だけに付着するリザーバに戻るようになる。電界を取り除くと、染色有極液はリザーバに戻るので、電極の下の領域は透明領域に見える。リザーバの直径そして従って高エネルギー接続プレート２８の直径は、リザーバ２２内の有極液ｌ1が見えないほど十分小さいものである。従って適切な電界を活性化したり除去することで、電気毛管ディスプレイシート１０上に画像を表示できる。
【００３８】
液体をリザーバから移動するのに適切な電界を作るのに必要な電圧は５ボルトから３００ボルトの範囲である。
【００３９】
電気毛管ディスプレイシート１０では画像を連続的に表示するのにアドレス指定電圧Ｖのパターンを一定に印加する必要がある。アクティブマトリックスアドレス指定回路はそのような保持電圧パターンを提供することができる。
【００４０】
本発明の電気毛管ディスプレイシート１０を紙の代用品として利用するため、シート１０の底面６０は有極液ｌ1の色と比べて対照的な色の材料で被覆するか、そのような表面と接触させる必要がある。底面６０に明るい色を選択し、有極液を暗い色に選択すると、電界を活性化する電極１８、２０は電極１８、２０の大きさにより暗い画素ないし部分画素に見える。しかし電界を除いた電極１８、２０は透明画素に見える。例えば有極液ｌ１を黒に染色し、面６０を白で覆うと、活性化する電界を有する電極１８、２０は白い背景上で黒に見える。電界を除去した電極１８、２０は、透明な電極１８、２０を通して白の背景が見えるので白く見える。これにより白い紙の上の黒インクのような物理的外見をもつようになる。
【００４１】
なお、リザーバの大きさは画素の面積の０．１％から１０％の範囲の非常に小さいものであるので、リザーバ内のインクは実質的には目に見えない。
【００４２】
更に本発明の電気毛管ディスプレイシート１０は投影機に配置する透明ディスプレイとして利用して、電気ディスプレイシート１０の画像をスクリーンに投影することができる。従ってスクリーン上には、活性化電界を有する電極１８、２０の投影画像だけが、電極のサイズにより暗い画素ないし部分画素として見られる。電界を除去した電極は透明に見え、それらの電極を通過する光はスクリーン上で明るい像を形成するようになる。
【００４３】
図１２に本発明の別の電気毛管ディスプレイシート８０を示す。図１２で要素８２、８３、８４、８５、８６、８８、９０、９２、９３、９４、９６、９８、ｌ3、ｌ4は図１の要素１２、１３、１４、１５、１６、１８、２０、２２、２３、２４、２６、２８、ｌ1、ｌ2と同一でそれぞれ同じ目的を果たす。図１２では液ｌ3に電気接続を提供するのに接続プレート９８を使用せず、それらはｌ3が上昇してプレート９８に付着させるためにリザーバ上に配置している。接触プレート９８の代わりに、液ｌ3に電気接続を提供するのに使用するメッキないし周知の方法を通してリザーバ２２の壁に導電コーティング７２を設ける。
【００４４】
図１２で、電圧Ｖ1を電極８８、９０及び導電コーティング７２を通してその対応する液ｌ3に印加する。電極８８、９０は電圧Ｖ1の同一極に接続し、液ｌ3に電気接続を提供する導電コーティング７２は電圧Ｖ1の反対極に接続する。
【００４５】
図１３に本発明の更に別の電気毛管ディスプレイシート１００を示す。図１２で要素１０２、１０３、１０４、１０５、１０６、１０８、１１０、１１２、１１３、１１４、１１６、１１８、ｌ5は図１の要素１２、１３、１４、１５、１６、１８、２０、２２、２３、２４、２６、２８、ｌ1と同一でそれぞれ同じ目的を果たす。電気毛管ディスプレイシート１００では、図１の液ｌ1を２つの液ｌa、液ｌbで置き換えている。液ｌaは透明な導電液である。しかし液ｌbは染色ないし着色した非導電液体である。更に液ｌ5、液ｌa、ｌbは非混和液である。液ｌbは、液ｌaが電極１０８、１１０間とリザーバ１１２の一部に流れ込むと、液ｌbが完全にリザーバ１１２に戻るという形で液ｌa下に配置されている。
【００４６】
作動の際、電圧Ｖ2を電極１０８、１１０間と接続プレート１１８に印加すると、接続プレート１１８と接触した導電液ｌaは間隙１０３に広がり、電極１０８、１１０間の間隙を満たす。液ｌaがリザーバ１１２から流出すると、液ｌbがリザーバ１１２に移動する。その間、液ｌ5は間隙１２０（電極１０８、１１０の真下の間隙１０５内）を満たす。電圧Ｖ2を除去すると、液ｌaはリザーバ１１２に戻り、従って液ｌbが流出して液ｌ5を押し出しながら間隙１２０を満たす。
【００４７】
底面１２２から電気毛管ディスプレイシートを見ている観察者は、電圧Ｖ2を除去したとき、間隙１２０内に染色ないし着色した液ｌbを見ることになる。従って間隙１２０は液ｌbの色の画素として見られる。しかし電圧Ｖ2を活性化すると、液ｌbがリザーバ１１２に戻り、透明な液ｌ5が間隙１２０に流入する。その結果、間隙１２０は透明画素に見える。
【００４８】
従って電気毛管ディスプレイシート１００は、印加電圧Ｖ2によりできた電界を除去したときに画素を生成し、電圧Ｖ2により電界ができたときに画素が透明になる。対照的に図１の電気毛管ディスプレイシート１０は印加電圧Ｖにより電界ができたときに画素を生成し、印加電圧Ｖによりできた電界を除去したときに画素が透明になる。
【００４９】
図１と図１２の電気毛管ディスプレイシート１０と８０に変更を加えてフルカラー像を表示することができる。図１４に本発明の電気毛管カラーディスプレイシート１８０の部分上面図を示す。この方法では、電極１８８の大きさは画素の大きさと同じである。
【００５０】
図１５に、線Ａ−Ａに沿った図１４の開示実施例の拡大断面図を示す。図１５で、要素１８２、１８３，１８４，１８５，１８６、１８８、１９３、ｌ6は図１の１２、１３、１４、１５、１６、１８、２３、液ｌ2と同じで同じ目的を果たす。電極１９０と層１９６は、層１９６を有するそれぞれの電極１９０が３つのリザーバ２００、２０２、２０４を有することを除いて、図１の電極２０並びに層２６と同じである。図１５の断面図ではリザーバ２０２は見えないので、点線で示している。リザーバ２００、２０２、２０４のそれぞれには異なるカラーインクｌR、ｌB、ｌGを含める。
【００５１】
なお、リザーバ２０２は見えないので、リザーバ２０２内のインクｌBは図示していない。異なるカラーインクｌR、ｌB、ｌG内のＲ，Ｂ，Ｇは赤、青、緑を示す。またそれぞれの画素のいずれのリザーバもそれらの３つの液体のいずれも保持でき、異なるカラーインクをリザーバに配設する順番は重要ではない。
【００５２】
それぞれのリザーバ２００、２０２、２０４は、それぞれ個々の接続プレート２０６、２０８、２１０を有する。それぞれのリザーバ内のインクを作動するため、電極１８８、１９０は電源の１つの極に接続し、接続プレート２０６、２０８、２１０のそれぞれを個々にアドレス指定可能なスィッチＳ1，Ｓ2，Ｓ3を通して電源の反対極に接続する。スィッチを閉じると、電界が対応する接続プレートと対応するリザーバ内のインクに印加される。電界がリザーバ内のインクにかけられると、リザーバ内のインクは上昇して間隙１８３に流入し、間隙２０５（電極１８８、１９０の周辺内の間隙１８５の一部）だけにとどまる。３つの全てのリザーバ２００、２０２、２０４からのインクは同一間隙２０５を共有する。
【００５３】
２ないし３つの異なるカラーインクが同一間隙を占めると、画素はそれらの２つないし３つの異なるカラーの組み合わせとして見られる。この方法により、所望のカラー画素を創出できる。更に画素の色がリザーバの１つの中の色であることが望ましい場合、そのリザーバのための電界だけをオンにする。
【００５４】
図１５では、間隙１８３は透明な非導電液ｌ６液で満たされ、インクｌR、ｌB、ｌGは導電混和液である。導電（有極）液は少なくとも部分的に非混和性であることは一般的に事実であるが、経験的には適切な表面活性剤を組み合わせた非導電液ｌ６が存在すれば、インクｌR、ｌB、ｌGが特に液ｌ６とほぼ等しい比重を持つならばそれらに高度の混和性を効率的に与えることが分かっている。この種の安定性は油中水形エマルジョンに見られる。
【００５５】
なお本発明の電気毛管カラーディスプレイシートでは、赤、青、緑インクは色のスペクトルを創出できるどのような３つの補色にも置き換えることができる。
【００５６】
更に構成や組み合わせの詳細や要素や材料の配置の数々の変更は、以下の本発明の特許請求項の真の趣旨や範囲から逸脱せずに行うことができることを理解すべきである。
【図面の簡単な説明】
【図１】  本発明の電気毛管ディスプレイシートの断面図である。
【図２】  図１の異なるシートを共に接合する方法例を示す。
【図３】  図１の電気毛管ディスプレイシートの上面図の一部を示す。
【図４】  表面上の２つの異なる種類の液体の２つの同一サイズの液滴ａ、ｂを示す
【図５】  表面に対する液滴の接触角を示す。
【図６】  接触角α1、α2を有する図４の２つの液滴ａ、ｂを示す。
【図７】  ２枚の平行なプレートにより形成されたスペースに広がる液滴を示す。
【図８】  ２枚の平行なプレートにより形成されたスペースに広がらない液滴を示す。
【図９】  液滴に電圧をかけることで液滴の接触角を変えることができることを示す。
【図１０】  空気で包囲され、鋭い接触角を有する液滴を示す。
【図１１】  異なる液体に包囲され、鈍角の接触角を有する図１０の同一液滴を示す。
【図１２】  本発明の別の電気毛管ディスプレイシートを示す。
【図１３】  本発明の更に別の電気毛管ディスプレイシートを示す。
【図１４】  本発明の電気毛管カラーディスプレイシート１８０の実施例の部分上面図である。
【図１５】  図１４の開示実施例の線Ａ−Ａに沿った拡大断面図である。
【符号の説明】
１０  電気毛管ディスプレイシート、１２，１４，１６，８２，８４，８６  シート、１３，１５，８３，８５  間隙、１７，８７  フレーム、１８，２０，８８，９０  電極、２２，９２  リザーバ、２３，９３  穴、２４，２６，９４，９６  低表面エネルギー絶縁層、２８，９８  高表面エネルギープレート、３２表面、３４  表面の面、３６  正接線、３８  液滴、４０，４２  プレート、４４  コーナー、４６  間隙、４８  絶縁表面、４９  電極、５０  表面、５２空気、５４  液体、７２  導電コーティング、８０  電気毛管ディスプレイシート、
【図１】
0003831474.tif 000002
【図２】
0003831474.tif 000003
【図３】
0003831474.tif 000004
【図４】
0003831474.tif 000005
【図５】
0003831474.tif 000006
【図６】
0003831474.tif 000007
【図７】
0003831474.tif 000008
【図８】
0003831474.tif 000009
【図９】
0003831474.tif 000010
【図１０】
0003831474.tif 000011
【図１１】
0003831474.tif 000012
【図１２】
0003831474.tif 000013
【図１３】
0003831474.tif 000014
【図１４】
0003831474.tif 000015
【図１５】
0003831474.tif 000016